(57)【要約】【課題】大容量の記録メディアにも対応しながら新しいファイルシステムには対応していないアクセス装置であってもアクセス可能で、しかも複数の領域を意識する必要のない記録メディアアクセス装置を提供する。【解決手段】記録メディア１１０は、異なるファイルシステムで管理される第１の情報記録領域１１２と第２の情報記録領域１１３を持ち、領域切り替えコマンドによりアクセスできる情報記録領域を切り替え、切り替えコマンドの未送信時には第１の情報記録領域１１２へのアクセスとなる。記録メディア１１０に対しアクセスを行う記録メディアアクセス装置１００は、第２の情報記録領域１１３内の特定のファイルまたはディレクトリへのアクセスが発生した際には領域切り替えコマンドを発行し、アクセスする領域を第１の情報記録領域１１２に切り替え、第１の情報記録領域１１２のリンクされたファイルまたはディレクトリにアクセスする。【選択図】図１
2005149368.tif 000002
【特許請求の範囲】
【請求項１】
第１の情報記録領域と第２の情報記録領域を持ち、領域切り替えコマンドによりアクセスできる情報記録領域を切り替えることが可能であり、前記切り替えコマンドの未送信時には第１の情報記録領域へのアクセスとなり、第１の情報記録領域と第２の情報記録領域は異なるファイルシステムで管理される記録メディアに対しアクセスを行う記録メディアアクセス装置であって、第２の情報記録領域内の特定のファイルまたはディレクトリへのアクセスが発生した際には前記領域切り替えコマンドを発行しアクセスする情報記録領域を第１の情報記録領域に切り替え、前記ファイルまたはディレクトリに対応する第１の情報記録領域のファイルまたはディレクトリにアクセスすることを特徴とする記録メディアアクセス装置。
【請求項２】
第２の情報記録領域内の特定の前記ファイルまたはディレクトリは、実体が第１の情報記録領域にあることを示すフラグを有し、第１の情報記録領域の同じディレクトリ階層で同名のファイルまたはディレクトリに対応し、前記フラグを参照することにより前記領域切り替えコマンドを発行しアクセスする情報記録領域を第１の情報記録領域に切り替え、対応する第１の情報記録領域のファイルまたはディレクトリにアクセスすることを特徴とする、請求項１記載の記録メディアアクセス装置。
【請求項３】
第２の情報記録領域内の特定のファイルまたはディレクトリは、さらに対応する第１情報記録領域内のパスを有し、前記パスを用いて第１の情報記録領域のファイルまたはディレクトリにアクセスすることを特徴とする、請求項２記載の記録メディアアクセス装置。
【請求項４】
第２の情報記録領域内の特定のディレクトリとして第２の情報記録領域内のルートディレクトリ直下に作成されており、前記ディレクトリは第１の情報領域のルートディレクトリに対応する記録メディアにアクセスすることを特徴とする、請求項１記載の記録メディアアクセス装置。
【請求項５】
第２の情報記録領域内の特定のディレクトリの下に新規のディレクトリまたはファイルを作成する際には、前記領域切り替えコマンドを発行しアクセスする情報記録領域を第１の情報記録領域に切り替え、前記ディレクトリに対応するディレクトリに新規のディレクトリまたはファイルを作成することを特徴とする、請求項１記載の記録メディアアクセス装置。
【請求項６】
第２の情報記録領域内に新規のファイルを作成する際には、作成される前記ファイルのサイズが一定の閾値を超えない場合には前記領域切り替えコマンドを発行しアクセスする情報記録領域を第１の情報記録領域に切り替え、第１の情報記録領域に新規のファイルを作成し、作成される前記ファイルのサイズが前記閾値を超える場合には第２の情報記録領域に作成することを特徴とする、請求項１記載の記録メディアアクセス装置。
【請求項７】
第１の情報記録領域と第２の情報記録領域を持ち、領域切り替えコマンドによりアクセスできる情報記録領域を切り替えることが可能であり、前記切り替えコマンドの未送信時には第１の情報記録領域へのアクセスとなり、第１の情報記録領域と第２の情報記録領域は異なるファイルシステムで管理される記録メディアに対しアクセスを行う記録メディアアクセス方法であって、第２の情報記録領域内の特定のファイルまたはディレクトリへのアクセスが発生した際には前記領域切り替えコマンドを発行しアクセスする情報記録領域を第１の情報記録領域に切り替え、前記ファイルまたはディレクトリに対応する第１の情報記録領域のファイルまたはディレクトリにアクセスすることを特徴とする記録メディアアクセス方法。
【請求項８】
第２の情報記録領域内の特定の前記ファイルまたはディレクトリは、実体が第１の情報記録領域にあることを示すフラグを有し、第１の情報記録領域の同じディレクトリ階層で同名のファイルまたはディレクトリに対応し、前記フラグを参照することにより前記領域切り替えコマンドを発行しアクセスする情報記録領域を第１の情報記録領域に切り替え、対応する第１の情報記録領域のファイルまたはディレクトリにアクセスすることを特徴とする、請求項７記載の記録メディアアクセス方法。
【請求項９】
第２の情報記録領域内の特定のファイルまたはディレクトリは、さらに対応する第１情報記録領域内のパスを有し、前記パスを用いて第１の情報記録領域のファイルまたはディレクトリにアクセスすることを特徴とする、請求項８記載の記録メディアアクセス方法。
【請求項１０】
第２の情報記録領域内の特定のディレクトリとして第２の情報記録領域内のルートディレクトリ直下に作成されており、前記ディレクトリは第１の情報領域のルートディレクトリに対応する記録メディアにアクセスすることを特徴とする、請求項７記載の記録メディアアクセス方法。
【請求項１１】
第２の情報記録領域内の特定のディレクトリの下に新規のディレクトリまたはファイルを作成する際には、前記領域切り替えコマンドを発行しアクセスする情報記録領域を第１の情報記録領域に切り替え、前記ディレクトリに対応するディレクトリに新規のディレクトリまたはファイルを作成することを特徴とする、請求項７記載の記録メディアアクセス方法。
【請求項１２】
第２の情報記録領域内に新規のファイルを作成する際には、作成される前記ファイルのサイズが一定の閾値を超えない場合には前記領域切り替えコマンドを発行しアクセスする情報記録領域を第１の情報記録領域に切り替え、第１の情報記録領域に新規のファイルを作成し、作成される前記ファイルのサイズが前記閾値を超える場合には第２の情報記録領域に作成することを特徴とする、請求項７記載の記録メディアアクセス方法。
【発明の詳細な説明】
【技術分野】
【０００１】
本発明は、大容量の記録メディアを複数の記録領域に分け、それぞれ異なるファイルシステムで管理する領域管理方法に係る記録メディアアクセス装置及びアクセス方法に関する。
【背景技術】
【０００２】
従来、半導体メモリや、磁気ディスク、光磁気ディスクなどの記録メディアの情報記録領域に格納されたデータの管理は、ファイルシステムにより実現されている。ファイルシステムでは、情報記録領域を最小アクセス単位であるセクタ、及びセクタの集合であるクラスタに分割して管理し、1つ以上のクラスタをファイルとして管理する。
【０００３】
従来使用されているファイルシステムとして、ＦＡＴファイルシステムが一例に挙げられる（詳細は、非特許文献１参照）。ＦＡＴファイルシステムはパソコンなどの情報機器で一般に用いられているファイルシステムであり、ファイルを構成するデータの物理的な格納位置をＦＡＴ（Ｆｉｌｅ  Ａｌｌｏｃａｔｉｏｎ  Ｔａｂｌｅ）テーブルと呼ばれるテーブルにより一元管理するという特徴を持つ。ＦＡＴファイルシステムのようなファイルシステムによりデータ管理された記録メディアは、同一のファイルシステムを解釈する機器間でファイルを共有することができるため、機器間でデータを授受することが可能となる。
【０００４】
現在、記録メディア、特に半導体メモリカード内の情報記録領域の管理には、多くの場合ＦＡＴ１２またはＦＡＴ１６が使用されている。しかしながら昨今の半導体メモリの大容量化、低価格化により、半導体メモリカードとしての容量が増加し、ＦＡＴ１６で管理可能な２Ｇバイトを超える半導体メモリカードが登場してきた。こういった半導体メモリカード全体を一つの領域で使用する場合には、ＦＡＴ１６では管理ができず、ＦＡＴ３２などの大容量の情報記録領域に対応したファイルシステムが使用されている。また半導体メモリカード全体をＦＡＴ１６で管理可能な複数の領域に分割し、それぞれをＦＡＴ１６で管理する、といった方法も可能である。
【０００５】
また、記録メディアにデジタル著作物データを格納する場合、別の情報記録領域を記録メディア内に設け（特許文献１参照）、暗号化を行った暗号化キーを格納するためにこの領域を使用する方法が提案されている。
【特許文献１】特開２００３−２３３７９５号公報
【非特許文献１】ＩＳＯ/ＩＥＣ９２９３、「インフォメイション  テクノロジー  −  ボリュウム  アンド  ファイル  ストラクチャ  オブ  ディスク  カートリッジ  フォー  インフォメイション（Ｉｎｆｏｒｍａｔｉｏｎ  Ｔｅｃｈｎｏｌｏｇｙ−Ｖｏｌｕｍｅ  ａｎｄ  ｆｉｌｅ  ｓｔｒｕｃｔｕｒｅ  ｏｆ  ｄｉｓｋ  ｃａｒｔｒｉｄｇｅｓ  ｆｏｒ  ｉｎｆｏｒｍａｔｉｏｎ）」、１９９４年
【発明の開示】
【発明が解決しようとする課題】
【０００６】
しかしながら、上記の従来技術には次のような問題点がある。
【０００７】
記録メディアの従来の領域管理方法では、新たなファイルシステムでの領域管理を導入することにより大容量の記録メディアへのアクセスを可能としているため、新たなファイルシステムでの管理手段を搭載していない古いアクセス装置では、この記録メディアにはアクセスすることができない。
【０００８】
また、記録メディアを複数の情報記録領域に分割した場合は、ユーザが複数の領域を意識しながら使用する必要があり、使い勝手が悪い。
【０００９】
本発明では上記問題点に鑑み、大容量の記録メディアにも対応しながら新しいファイルシステムには対応していない古いアクセス装置であってもアクセス可能で、しかも複数の領域を意識する必要のない記録メディアアクセス装置及びアクセス方法を提供する。
【課題を解決するための手段】
【００１０】
前記課題を解決するための第１の発明は、第１の情報記録領域と第２の情報記録領域を持ち、領域切り替えコマンドによりアクセスできる情報記録領域を切り替えることが可能であり、前記切り替えコマンドの未送信時には第１の情報記録領域へのアクセスとなり、第１の情報記録領域と第２の情報記録領域は異なるファイルシステムで管理される記録メディアに対しアクセスを行う記録メディアアクセス装置であって、第２の情報記録領域内の特定のファイルまたはディレクトリへのアクセスが発生した際には前記領域切り替えコマンドを発行しアクセスする情報記録領域を第１の情報記録領域に切り替え、前記ファイルまたはディレクトリに対応する第１の情報記録領域のファイルまたはディレクトリにアクセスすることを特徴とする。
【００１１】
また前記課題を解決するための第２の発明は、第２の情報記録領域内の特定の前記ファイルまたはディレクトリは、実体が第１の情報記録領域にあることを示すフラグを有し、第１の情報記録領域の同じディレクトリ階層で同名のファイルまたはディレクトリに対応し、前記フラグを参照することにより前記領域切り替えコマンドを発行しアクセスする情報記録領域を第１の情報記録領域に切り替え、対応する第１の情報記録領域のファイルまたはディレクトリにアクセスすることを特徴とする。
【００１２】
また前記課題を解決するための第３の発明は、第２の情報記録領域内の特定のファイルまたはディレクトリは、さらに対応する第１情報記録領域内のパスを有し、前記パスを用いて第１の情報記録領域のファイルまたはディレクトリにアクセスすることを特徴とする。
【００１３】
また前記課題を解決するための第４の発明は、第２の情報記録領域内の特定のディレクトリとして第２の情報記録領域内のルートディレクトリ直下に作成されており、前記ディレクトリは第１の情報領域のルートディレクトリに対応する記録メディアにアクセスすることを特徴とする。
【００１４】
また前記課題を解決するための第５の発明は、第２の情報記録領域内の特定のディレクトリの下に新規のディレクトリまたはファイルを作成する際には、前記領域切り替えコマンドを発行しアクセスする情報記録領域を第１の情報記録領域に切り替え、前記ディレクトリに対応するディレクトリに新規のディレクトリまたはファイルを作成することを特徴とする。
【００１５】
また前記課題を解決するための第６の発明は、第２の情報記録領域内に新規のファイルを作成する際には、作成される前記ファイルのサイズが一定の閾値を超えない場合には前記領域切り替えコマンドを発行しアクセスする情報記録領域を第１の情報記録領域に切り替え、第１の情報記録領域に新規のファイルを作成し、作成される前記ファイルのサイズが前記閾値を超える場合には第２の情報記録領域に作成することを特徴とする。
【発明の効果】
【００１６】
前記切り替えコマンドの未送信時には第１の情報記録領域へのアクセスとなる記録メディアとしたので、第１の情報記録領域へのアクセス方法しか知らない機器であってもアクセスが可能となる。
【００１７】
また、第２の情報記録領域内の特定のファイルまたはディレクトリへのアクセスが発生した際には前記領域切り替えコマンドを発行しアクセスする情報記録領域を第１の情報記録領域に切り替え、前記ファイルまたはディレクトリに対応する第１の情報記録領域のファイルまたはディレクトリにアクセスするものとしたので、ユーザは複数の情報記録領域が記録メディア内に存在することを意識することなく、記録メディアにアクセス可能となる。
【００１８】
また、第２の情報記録領域内の特定の前記ファイルまたはディレクトリは、実体が第１の情報記録領域にあることを示すフラグを有すものとしたので、前記フラグが立っている場合に領域切り替えコマンドを発行することにより、第１の情報記録領域へアクセスすることが可能となる。
【００１９】
また、第２の情報記録領域内の特定のファイルまたはディレクトリは、さらに対応する第１情報記録領域内のパスを有すものとしたので、前記フラグが立っている場合に領域切り替えコマンドを発行し、その後前記パスを用いることによりファイルまたはディレクトリの実体にアクセスすることが可能となる。
【００２０】
また、第２の情報記録領域内の特定のディレクトリとして第２の情報記録領域内のルートディレクトリ直下に作成されており、前記ディレクトリは第１の情報領域のルートディレクトリに対応するものとしたので、前記フラグや前記パスのような特別な対応情報は必要なく、前記ディレクトリにアクセスしたタイミングで領域切り替えコマンドを発行し、第１の情報記録領域へアクセスすることが可能となる。
【００２１】
また、第２の情報記録領域内の特定のディレクトリの下に新規のディレクトリまたはファイルを作成する際には、前記領域切り替えコマンドを発行しアクセスする情報記録領域を第１の情報記録領域に切り替え、前記ディレクトリに対応するディレクトリに新規のディレクトリまたはファイルを作成するものとしたので、ユーザは情報記録領域の区別をすることなく、新規のファイルまたはディレクトリを作成する際に第１の情報記録領域に作成することが可能となる。
【００２２】
また、第２の情報記録領域内に新規のファイルを作成する際には、作成される前記ファイルのサイズが一定の閾値を超えない場合には前記領域切り替えコマンドを発行しアクセスする情報記録領域を第１の情報記録領域に切り替え、第１の情報記録領域に新規のファイルを作成し、作成される前記ファイルのサイズが前記閾値を超える場合には第２の情報記録領域に作成するものとしたので、第１の情報記録領域が優先的に使用されることになり、第１の情報記録領域を管理するファイルシステムにのみ対応した機器との最小限のデータ交換が可能となる。
【発明を実施するための最良の形態】
【００２３】
以下、本発明の記録メディアアクセス装置、及びアクセス方法について、図を用いて説明する。
【００２４】
（実施の形態１）
まず本発明における実施の形態１を図１から図５を使用して説明する。
【００２５】
図１は本発明の実施の形態１における記録メディアアクセス装置と記録メディアの構成を示すブロック図である。図１において、１００は記録メディアアクセス装置、１１０は記録メディアである。また記録メディアアクセス装置１００は、アプリケーション部１０１と、ファイルシステム管理部１０２と、第１のファイルシステム１０３と、第２のファイルシステム１０４から構成され、記録メディア１１０は、コマンド受信部１１１と、第１の情報記録領域１１２と、第２の情報記録領域１１３から構成される。
【００２６】
また図２は、第１の情報記録領域１１２と第２の情報記録領域１１３の内部に格納されている、ファイルとディレクトリの例である。第１の情報記録領域１１２のルートディレクトリにはファイルとしてＦｉｌｅ１１、Ｆｉｌｅ１２、ディレクトリとしてＤｉｒ１１が存在し、ディレクトリＤｉｒ１１にはファイルＦｉｌｅ１４が存在している。第２の情報記録領域１１３のルートディレクトリには、ファイルとしてＦｉｌｅ２１、Ｆｉｌｅ２２、ディレクトリとしてＤｉｒ２１が存在し、シンボリックリンク情報としてＦｉｌｅ１１、Ｆｉｌｅ１２、Ｄｉｒ１１が存在している。
【００２７】
また図３は、第２の情報記録領域１１３のルートディレクトリエントリの抜粋と、ルートディレクトリに存在するファイルの内容を説明した図である。ここでディレクトリエントリとは、ファイルシステムが管理しているファイルやディレクトリに関する情報（名称や属性、サイズ、タイムスタンプ、データ格納位置など）である。図３では、ディレクトリエントリからファイル名と属性を抜粋しており、ファイルＦｉｌｅ２１の属性はＦｉｌｅ、ファイルＦｉｌｅ２２の属性はＦｉｌｅ、ディレクトリＤｉｒ１２の属性はＤｉｒｅｃｔｏｒｙ（ディレクトリ）、Ｆｉｌｅ１１の属性はＳｙｍｂｏｌｉｃＬｉｎｋ（シンボリックリンク）、Ｆｉｌｅ１２の属性はＳｙｍｂｏｌｉｃＬｉｎｋ、Ｄｉｒ１１の属性はＳｙｍｂｏｌｉｃＬｉｎｋとなっており、属性がＳｙｍｂｏｌｉｃＬｉｎｋのエントリに対しては、ファイルの内容がシンボリックリンクの参照先となっている。なお、ディレクトリエントリの属性としてＳｙｍｂｏｌｉｃＬｉｎｋを挙げているが、ディレクトリエントリ内の属性ではなく、ファイル名の拡張子によりＳｙｍｂｏｌｉｃＬｉｎｋであることを判定するようにしてもよい。
【００２８】
ここまでは一般的なシンボリックリンクの実装例である。本発明の実施の形態１においては、このように格納された記録メディアに対し、他方の領域に格納されたファイルまたはディレクトリを参照するために、指定のタイミングで領域切り替えコマンドの発行を行うところに主眼がある。次に本発明の実施の形態１における記録メディアアクセス装置１００が、記録メディア１１０に対してアクセスを行う場合を、図４、図５に示すフローチャートに従って説明する。
【００２９】
記録メディアアクセス装置１００内のアプリケーション部１０１はまず、アクセスするファイルを決定するために、ファイルシステム管理部１０２に対しルートディレクトリのファイルの一覧を取得するための依頼をする（Ｓ４０１）。このときアプリケーション部１０１は、記録メディア１１０が２つの情報記録領域を持っていることを意識しておらず、単に１つの情報記録領域から構成されているとして動作している。次にファイルシステム管理部１０２はコマンド受信部１１１に対し、第２の情報記録領域１１３へアクセスするための領域切り替えコマンドを発行した後（Ｓ４０２）、第２のファイルシステム１０４に対しルートディレクトリのファイル一覧を取得するための依頼を行う。第２のファイルシステム１０４は、第２の情報記録領域１１３内におけるルートディレクトリ領域の位置を特定した後、ルートディレクトリ領域を読み出すコマンドをコマンド受信部１１１に発行し、ルートディレクトリに含まれるディレクトリエントリを取得する（Ｓ４０３）。その後第２のファイルシステム１０４はファイルシステム管理部１０２にルートディレクトリのファイル一覧を返し（Ｓ４０４）、ファイルシステム管理部１０２はアプリケーション部１０１にルートディレクトリのファイル一覧を返す（Ｓ４０５）。
【００３０】
次にアプリケーション部１０１はアクセスするファイルを指定してファイルシステム管理部１０２にアクセスの依頼を行う（Ｓ５０１）。次にファイルシステム管理部１０２はコマンド受信部１１１に対し、第２の情報記録領域１１３へアクセスするための領域切り替えコマンドを発行した後（Ｓ５０２）、第２のファイルシステム１０４に対し前記ファイルのアクセスの依頼を行う。第２のファイルシステム１０４は前記ファイルが第１の情報記録領域１１２へのシンボリックリンクになっているかどうかを判断し（Ｓ５０３、Ｓ５０４）、シンボリックリンクになっている場合にはシンボリックリンク情報と共にファイルシステム管理部１０２に返す。シンボリックリンクになっていない場合には、第２の情報記録領域１１３へのアクセスであるので、アクセスのためのコマンドをコマンド受信部１１１に発行し、第２の情報記録領域１１３へアクセスを行う（Ｓ５０７）。ファイルシステム管理部１０２は第２のファイルシステム１０４よりシンボリックリンク情報が返されたときには、第１の情報記録領域１１２へアクセスするための領域切り替えコマンドをコマンド受信部１１１に発行したあと（Ｓ５０５）、第１のファイルシステム１０３に対し、第２のファイルシステム１０４から返されたシンボリックリンク情報を元に作成されたファイル名を渡す（Ｓ５０６）。第１のファイルシステム１０３は第１の情報記録領域１１２にアクセスするためのコマンドをコマンド受信部１１１に発行し、第１の情報記録領域１１２へアクセスを行う（Ｓ５０８）。
【００３１】
なお、上記の実施の形態においては、既に領域が切り替わっている場合など、必要のない領域切り替えコマンドを発行するようになっているが、これは省略してもよい。
【００３２】
また、第２の情報記録領域１１３にアクセスするための第２のファイルシステム１０４を有していない機器が前記記録メディア１１０にアクセスする場合には領域切り替えコマンドを発行しないため、第１の情報記録領域１１２にアクセスが可能である。図６に第２のファイルシステムを有していない記録メディアアクセス装置が記録メディアにアクセスする場合の構成図を示す。図６において、６００は記録メディアアクセス装置、６１０は記録メディアである。また記録メディアアクセス装置６００は、アプリケーション部６０１と、第１のファイルシステム６０３から構成され、記録メディア６１０は、コマンド受信部６１１と、第１の情報記録領域６１２と、第２の情報記録領域６１３から構成される。
【００３３】
記録メディアアクセス装置６００内のアプリケーション部６０１はまず、アクセスするファイルを決定するために、第１のファイルシステム６０３に対しルートディレクトリのファイル一覧を取得するための依頼を行う。記録メディア６１０に対して領域切り替えコマンドを発行しないので、全てのアクセスは第１の情報記録領域６１２に対するものとなる。第１のファイルシステム６０３は第１の情報記録領域６１２内のルートディレクトリのディレクトリエントリのアドレスからディレクトリエントリを読み出すコマンドをコマンド受信部６１１に発行し、ルートディレクトリのディレクトリエントリを取得する。第１のファイルシステム６０３は、第１の情報記録領域６１２内におけるルートディレクトリ領域の位置を特定した後、ルートディレクトリ領域を読み出すコマンドをコマンド受信部６１１に発行し、ルートディレクトリに含まれるディレクトリエントリを取得する。
【００３４】
次にアプリケーション部６０１はアクセスするファイルを指定して第１のファイルシステム６０３に対し前記ファイルのアクセスの依頼を行う。第１のファイルシステム６０３は、アクセスのためのコマンドをコマンド受信部６１１に発行し、第１の情報記録領域６１２へアクセスを行う。
【００３５】
このように、第２の情報記録領域６１３にアクセスするための第２のファイルシステムを有していない機器であっても、第１の情報記録領域６１２にはアクセスが可能となっている。
【００３６】
（実施の形態２）
次に本発明の実施の形態２について、図１、図７から図９を用いて説明する。
【００３７】
図１は本実施の形態における記録メディアアクセス装置と記録メディアを示しており、構成内容は実施の形態１と同じであるので省略する。
【００３８】
また図７は、第１の情報記録領域１１２と第２の情報記録領域１１３の内部に格納されている、ファイルとディレクトリの例である。第１の情報記録領域１１２のルートディレクトリにはファイルとしてＦｉｌｅ１１、ディレクトリとしてＤｉｒ１１が存在し、ディレクトリＤｉｒ１１にはファイルＦｉｌｅ１４が存在している。第２の情報記録領域１１３のルートディレクトリには、ファイルとしてＦｉｌｅ２１、Ｆｉｌｅ２２、ディレクトリとしてＤｉｒ２１が存在し、シンボリックリンク情報として＿Ｄｒｉｖｅ１＿が存在している。
【００３９】
また図８は、第２の情報記録領域１１３のルートディレクトリエントリの抜粋と、ルートディレクトリに存在するファイルの内容を説明した図である。ここでディレクトリエントリとは、ファイルシステムが管理しているファイルやディレクトリに関する情報（名称や属性、サイズ、タイムスタンプ、データ格納位置など）である。図８では、ディレクトリエントリからファイル名と属性を抜粋しており、ファイルＦｉｌｅ２１の属性はＦｉｌｅ、ファイルＦｉｌｅ２２の属性はＦｉｌｅ、ディレクトリＤｉｒ２１の属性はＤｉｒｅｃｔｏｒｙ、＿Ｄｒｉｖｅ１＿の属性はＤｒｉｖｅ（ドライブ）となっている。Ｄｒｉｖｅの属性はこのエントリが他の情報記録領域のルートディレクトリにリンクされていることを示しており、本実施例の場合には第１の情報記録領域１１２のルートディレクトリにリンクされていることを示す。
【００４０】
次に本発明の実施の形態２における記録メディアアクセス装置１００が、記録メディア１１０に対してアクセスを行う場合を図９に示すフローチャートに従って説明する。
【００４１】
記録メディアアクセス装置１００内のアプリケーション部１０１がルートディレクトリ内のファイルの一覧を取得する処理は、実施の形態１で図４を用いて説明したものと同じであるので省略する。その後アプリケーション部１０１はアクセスするファイルを指定してファイルシステム管理部１０２にアクセスの依頼を行う（Ｓ９０１）。次にファイルシステム管理部１０２はコマンド受信部１１１に対し、第２の情報記録領域１１３へアクセスするための領域切り替えコマンドを発行した後（Ｓ９０２）、第２のファイルシステム１０４に対し前記ファイルのアクセスの依頼を行う。第２のファイルシステム１０４は前記ファイルの属性がＤｒｉｖｅであるかどうかを判断し（Ｓ９０３、Ｓ９０４）、Ｄｒｉｖｅになっている場合にはその情報をファイルシステム管理部１０２に返す。Ｄｒｉｖｅになっていない場合には、第２の情報記録領域１１３へのアクセスであるので、アクセスのためのコマンドをコマンド受信部１１１に発行し、第２の情報記録領域１１３へアクセスを行う（Ｓ９０７）。ファイルシステム管理部１０２は第２のファイルシステム１０４よりＤｒｉｖｅになっていることを示す情報が返されたときには、第１の情報記録領域１１２へアクセスするための領域切り替えコマンドをコマンド受信部１１１に発行したあと（Ｓ９０５）、第１のファイルシステム１０３に対し、アプリケーション部１０１から渡されたアクセスするファイル名の先頭部分の￥＿Ｄｒｉｖｅ１＿を削除したファイル名を渡す（Ｓ９０６）。第１のファイルシステム１０３は第１の情報記録領域１１２のためのコマンドをコマンド受信部１１１に発行し、第１の情報記録領域１１２へアクセスを行う（Ｓ９０８）。
【００４２】
なお、上記の実施の形態においては、既に領域が切り替わっている場合など、必要のない領域切り替えコマンドを発行するようになっているが、これは省略してもよい。
【００４３】
（実施の形態３）
次に本発明の実施の形態３について、図１、図１０を用いて説明する。
【００４４】
図１は本実施の形態における記録メディアアクセス装置と記録メディアを示しており、構成内容は実施の形態１と同じであるので省略する。
【００４５】
次に本発明の実施の形態３における記録メディアアクセス装置１００が、記録メディア１１０に対して新規ファイルの書き込みを行う場合を図１０に示すフローチャートに従って説明する。
【００４６】
アプリケーション部１０１は新規ファイルの書き込みの依頼をファイルシステム管理部１０２に行う（Ｓ１００１）。次にファイルシステム管理部１０２は、コマンド受信部１１１に第１の情報記録領域１１２へのアクセスを行うための領域切り替えコマンドを発行した後（Ｓ１００２）、第１のファイルシステム１０３に対し、第１の情報記録領域１１２の空き容量を取得する依頼を行う（Ｓ１００３）。第１のファイルシステム１０３はコマンド受信部１１１に、第１の情報記録領域１１２の空き容量を取得するコマンドを発行し、第１の情報記録領域１１２から空き容量を取得し、ファイルシステム管理部１０２に返す。ファイルシステム管理部１０２では、新規に作成するファイルのサイズと第１の情報記録領域１１２の空き容量サイズを比較し（Ｓ１００３）、新規に作成するファイルのサイズのほうが小さかった場合には、第１のファイルシステム１０３に対し新規ファイルの作成を依頼する。その後第１のファイルシステム１０３はコマンド受信部１１１に対し第１の情報記録領域１１２に新規ファイルを作成するコマンドを発行し、第１の情報記録領域１１２に新規ファイルを作成する（Ｓ１００６）。ファイルシステム管理部１０２において、新規に作成するファイルのサイズと第１の情報記録領域１１２の空き容量サイズを比較した際（Ｓ１００３）、新規に作成するファイルのサイズのほうが大きかった場合には、コマンド受信部１１１に第２の情報記録領域１１３へのアクセスを行うための領域切り替えコマンドを発行した後（Ｓ１００５）、第２のファイルシステム１０４に対し新規ファイルの作成を依頼する。その後第２のファイルシステム１０４はコマンド受信部１１１に対し第２の情報記録領域１１３に新規ファイルを作成するコマンドを発行し、第２の情報記録領域１１３に新規ファイルを作成する（Ｓ１００７）。なお、第２の情報記録領域１１３に新規ファイル作成のための領域がなかった場合にはエラーになる。
【産業上の利用可能性】
【００４７】
本発明にかかる記録メディア、記録装置及び再生装置は、著作権保護されたデジタル著作物データの機器の能力に合わせた記録再生を実現することによって、様々な著作権保護データを扱う電子機器やデバイスに適用できる。
【図面の簡単な説明】
【００４８】
【図１】本発明の実施の形態１による記録メディアアクセス装置と記録メディアの構成を示すブロック図
【図２】同実施の形態１による記録メディアの第１の情報記録領域と第２の情報記録領域の内部に格納されているファイルとディレクトリの例を示す概念図
【図３】同実施の形態１による第２の情報記録領域のルートディレクトリに含まれるファイル、ディレクトリのディレクトリエントリの抜粋と、ファイル内容の例を示す概念図
【図４】同実施の形態１における記録メディアアクセス装置が記録メディアに対してアクセスを行う場合のフローチャート
【図５】同実施の形態１における記録メディアアクセス装置が記録メディアに対してアクセスを行う場合のフローチャート
【図６】同実施の形態１において第２のファイルシステムを有していない記録メディアアクセス装置が記録メディアにアクセスする場合の構成の例を示すブロック図
【図７】同実施の形態２による記録メディアの第１の情報記録領域と第２の情報記録領域の内部に格納されているファイルとディレクトリの例を示す概念図
【図８】同実施の形態２による第２の情報記録領域のルートディレクトリに含まれるファイル、ディレクトリのディレクトリエントリの抜粋と、ファイル内容の例を示す概念図
【図９】同実施の形態２における記録メディアアクセス装置が記録メディアに対してアクセスを行う場合のフローチャート
【図１０】同実施の形態３における記録メディアアクセス装置が記録メディアに対して新規ファイルの書き込みを行う場合のフローチャート
【符号の説明】
【００４９】
１００、６００    記録メディアアクセス装置
１０１、６０１    アプリケーション部
１０２    ファイルシステム管理部
１０３、６０３    第１のファイルシステム
１０４    第２のファイルシステム
１１０、６１０    記録メディア
１１１、６１１    コマンド受信部
１１２、６１２    第１の情報記録領域
１１３、６１３    第２の情報記録領域
【図１】
2005149368.tif 000003
【図２】
2005149368.tif 000004
【図３】
2005149368.tif 000005
【図４】
2005149368.tif 000006
【図５】
2005149368.tif 000007
【図６】
2005149368.tif 000008
【図７】
2005149368.tif 000009
【図８】
2005149368.tif 000010
【図９】
2005149368.tif 000011
【図１０】
2005149368.tif 000012